(57)【要約】【課題】原料の損失を抑制してその使用効率を高めることを目的とする。【解決手段】容器１への物品３の充填量が、目標充填量となるように充填する充填装置４の後段に配置され、充填済容器１ａの重量を測定する重量選別機５であって、充填済容器１ａの測定重量値と、充填済容器１ａについての公称重量よりも大きい基準重量値とに基づいて、充填済容器１ａを、その内容物の重量値が、前記基準重量値以上の良品と基準重量値未満の不良品とに判別する判別手段と、前記不良品の発生率が設定される設定手段と、前記設定手段に設定される不良品の発生率に応じて、充填装置４の前記目標充填量を、管理目標重量値として決定する決定手段とを備える。【選択図】図１
2014222193.tif 000002
【特許請求の範囲】
【請求項１】
容器への物品の充填量が、目標充填量となるように充填する充填装置の後段に配置され、前記物品が充填された充填済容器の重量を測定する重量選別機であって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
前記不良品の発生率が設定される設定手段と、
前記設定手段に設定される不良品の発生率に応じて、前記充填装置の前記目標充填量を、管理目標重量値として決定する決定手段と、
を備えることを特徴とする重量選別機。
【請求項２】
容器への物品の充填量が、目標充填量となるように充填する充填装置の後段に配置され、前記物品が充填された充填済容器の重量を測定する重量選別機であって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
不良品と判別される前記充填済容器の内容物である前記物品の使用量、及び、良品と判別される前記充填済容器の内容物である前記物品の前記公称重量を超える使用量を抑制するように、前記充填装置の前記目標充填量を、管理目標重量値として決定する決定手段と、
を備えることを特徴とする重量選別機。
【請求項３】
前記決定手段は、前記基準重量値と、前記充填済容器の測定重量値のばらつき量と、前記不良品の発生率とに基づいて、前記管理目標重量値を決定する、
請求項１に記載の重量選別機。
【請求項４】
前記決定手段は、前記基準重量値と、前記充填済容器の前記内容物の重量分布と、前記公称重量とに基づいて、前記管理目標重量値を決定する、
請求項２に記載の重量選別機。
【請求項５】
前記充填済容器の前記内容物の平均重量値と前記管理目標重量値とを比較して、比較結果を前記充填装置へ出力する制御手段を備える、
請求項１ないし４のいずれかに記載の重量選別機。
【請求項６】
容器への物品の充填量が、目標充填量となるように充填する充填装置と、該充填装置の後段に配置され、前記物品が充填された充填済容器の重量を測定する重量選別機とを備える充填計量システムであって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
前記不良品の発生率が設定される設定手段と、
前記設定手段に設定される不良品の発生率に応じて、前記充填装置の前記目標充填量を、管理目標重量値として決定する決定手段と、
前記目標充填量を、前記管理目標重量値に制御する制御手段と、
を備えることを特徴とする充填計量システム。
【請求項７】
容器への物品の充填量が、目標充填量となるように充填する充填装置と、該充填装置の後段に配置され、前記物品が充填された充填済容器の重量を測定する重量選別機とを備える充填計量システムであって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
不良品と判別される前記充填済容器の内容物である前記物品の使用量、及び、良品と判別される前記充填済容器の内容物である前記物品の前記公称重量を超える使用量を抑制するように、前記充填装置の前記目標充填量を、管理目標重量値として決定する決定手段と、
前記目標充填量を、前記管理目標重量値に制御する制御手段と、
を備えることを特徴とする充填計量システム。
【発明の詳細な説明】
【技術分野】
【０００１】
本発明は、各種の物品を計量して包装袋などに充填し、充填した物品の重量を測定する充填計量システム、及び、それに用いる重量選別機に関する。
【背景技術】
【０００２】
かかる充填計量システムとして、菓子類などの物品を組合せ計量して排出する組合せ秤と、組合せ秤から排出される物品を包装する包装機と、包装機からの包装商品の重量を測定して良品、不良品を選別する重量選別機とを備えるものがある（例えば、特許文献１参照）。
【先行技術文献】
【特許文献】
【０００３】
【特許文献１】特開２０１０−１７５５１４号公報
【発明の概要】
【発明が解決しようとする課題】
【０００４】
組合せ秤では、一般に目標組合せ重量値と、それより大きい上限重量値とが設定され、複数の計量ホッパに供給された物品の重量値を種々に組合せ、組合せた合計重量値（組合せ重量値）が、目標組合せ重量値（下限値）と上限重量値とによって規定される所定重量範囲の組合せの中で、目標組合せ重量値に最も近い組合せとなる計量ホッパを最適組合せとして選択する。 
【０００５】
最適組合せとして選択された計量ホッパから排出された物品は、組合せ秤の後段に設置された包装機に投入され、包装機によって袋詰めされて1つの包装商品とされる。
【０００６】
包装商品の内容物の重量は、いわゆる、公称重量として包装商品のラベル等に明記されるが、日本の計量法では、包装商品の内容物の真の重量値が、公称重量より小さい重量で商品を販売してはならないことになっている。
【０００７】
このため、包装機の後段に重量選別機を設置し、包装機から搬送される包装商品の重量を測定し、測定した重量値から包装材の平均重量分を差し引いた包装商品の内容物の重量値が、公称重量より小さい包装商品を不良品として選別除外するようにしている。
【０００８】
組合せ秤では、上記のように、複数の計量器である複数の計量ホッパに供給された物品の重量値に基づいて、所定重量範囲の組合せの中で、目標組合せ重量値に最も近い組合せを、最適組合せとして選択するので、組合せ選択された物品の合計重量値、すなわち、包装商品の内容物の重量値は、必ず目標組合せ重量値に等しいかそれより大きい値となるはずであるが、各計量ホッパの測定重量値には、バラツキ誤差があるので、組合せ選択された商品の真の重量値は、目標組合せ重量値より小さい値の範囲にも分布している。
【０００９】
加えて各計量ホッパへの物品の付着、あるいは、各計量ホッパの荷重を測定する荷重センサ及び測定回路を要因とする零点ドリフトが、組合せ選択に参加した複数の計量ホッパの分だけ存在するので、組合せ選択された包装商品の内容物の真の重量値は、複数の計量ホッパの特性を要因としてばらつき、ドリフトする。
【００１０】
したがって、組合せ秤で製造する商品に関して、目標組合せ重量値を、上記の公称重量として製造して販売することはできず、目標組合せ重量値を、組合せ秤の計量誤差を見込んで公称重量より大きい値に設定して最適組合せを選択するようにしている。そして、商品の真の重量値をチェックするため、組合せ秤の後段に重量選別機が設置される。
【００１１】
この目標組合せ重量値の設定が適切でなく、公称重量に比べて、あまり大きくなく、公称重量に近い値に設定すると、重量選別機で不良品として除外される包装商品の数が増加することになる。不良品として除外された包装商品は、その内容物の性質にもよるが、大抵その内容物を、再び使用することはできず、原料損失となる。
【００１２】
反対に、不良品が全く生じないように、目標組合せ重量値を、公称重量に比べて十分大きな値に設定すると、包装商品の内容重量の、公称重量より大きい分が過剰となり、製造業者にとっての原料損失となり、前記過剰な量が、多い場合には、包装商品の価格に反映させざるを得ない場合もある。
【００１３】
このため、目標組合せ重量値を適切に設定できるようにして、原料損失を、製造業者が許容できる範囲に抑制する、あるいは、原料損失を可及的に低減して原料の使用効率を高めることが望まれる。
【００１４】
なお、かかる原料損失は、組合せ秤によって物品を組合せ計量して包装袋に充填する場合に限らず、包装容器等に物品、例えば、粉体や液体を所定量充填する定量充填機で充填する場合も同様に生じる課題である。
【００１５】
本発明は、上述のような点に鑑みてなされたものであって、原料損失を抑制して原料の使用効率を高めることを目的とする。
【課題を解決するための手段】
【００１６】
上記目的を達成するために、本発明では次のように構成している。
【００１７】
（１）本発明の重量選別機は、容器への物品の充填量が、目標充填量となるように充填する充填装置の後段に配置され、前記物品が充填された充填済容器の重量を測定する重量選別機であって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
前記不良品の発生率が設定される設定手段と、
前記設定手段に設定される不良品の発生率に応じて、前記充填装置の前記目標充填量を、管理目標重量値として決定する決定手段とを備える。
【００１８】
容器とは、入れ物をいい、瓶や缶に限らず、袋等を含むものである。
【００１９】
充填済容器とは、物品が充填された容器をいい、密封されて商品とされたものであってもよいし、物品は充填されているが、蓋等が装着されていない密封前の容器であってもよい。
【００２０】
充填済容器についての公称重量とは、充填済容器の内容物についての公称重量をいい、充填済容器が商品として販売されるときの公称重量をいう。
【００２１】
本発明の重量選別機によると、許容できる不良品の発生率を設定することによって、それに応じて、充填装置の目標充填量を、管理目標重量値として決定するので、充填装置の目標充填量を、管理目標重量値になるように制御することによって、不良品の発生率が、許容できる発生率に抑制されることになる。これによって、不良品としての原料物品の損失を、許容できる損失量に抑制することができる。
【００２２】
（２）本発明の重量選別機は、容器への物品の充填量が、目標充填量となるように充填する充填装置の後段に配置され、前記物品が充填された充填済容器の重量を測定する重量選別機であって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
不良品と判別される前記充填済容器の内容物である前記物品の使用量、及び、良品と判別される前記充填済容器の内容物である前記物品の前記公称重量を超える使用量を抑制するように、前記充填装置の前記目標充填量を、管理目標重量値として決定する決定手段とを備える。
【００２３】
決定手段は、不良品と判別される充填済容器の内容物である物品の使用量、及び、良品と判別される充填済容器の内容物である物品の、公称重量を超える使用量の両方の使用量を抑制するように管理目標重量値を決定する。
【００２４】
本発明の重量選別機によると、不良品として選別される充填済容器の内容物である物品の使用量、すなわち、不良品としての原料物品の損失量、及び、良品と判別される充填済容器の内容物である物品の公称重量を超える使用量、すなわち、製造業者にとって原料物品の損失となる公称重量を超える過剰な物品の使用量を、抑制するように、充填装置の目標充填量を、管理目標重量値として決定するので、充填装置の目標充填量を、管理目標重量値になるように制御することによって、原料物品の損失量を抑制して原料物品の使用効率を向上させることができる。
【００２５】
（３）上記（１）の実施態様では、前記決定手段は、前記基準重量値と、前記充填済容器の測定重量値のばらつき量と、前記不良品の発生率とに基づいて、前記管理目標重量値を決定してもよい。
【００２６】
この実施態様によると、充填済容器の内容物の重量値の良否を判別する境界重量値である基準重量値に、測定重量値のばらつき量、及び、設定される不良品の発生率を考慮した値を加算して適切な管理目標重量値を決定することができる。
【００２７】
（４）上記（２）の実施態様では、前記決定手段は、前記基準重量値と、前記充填済容器の前記内容物の重量分布と、前記公称重量とに基づいて、前記管理目標重量値を決定してもよい。
【００２８】
この実施態様によると、管理目標重量値を変化させた場合に、充填済容器の内容物の重量値の良否を判別する基準重量値と充填済容器の内容物の重量分布とに基づいて、良品の個数及び不良品の個数がどのようになるかを算定し、良品の内容物である物品の、公称重量を超える使用量、及び、不良品の内容物である物品の使用量を算定することができる。これによって、良品の内容物である物品の、公称重量を超える使用量、及び、不良品の内容物である物品の使用量である、原料物品の損失量を抑制するための管理目標重量値を決定することができる。
【００２９】
（５）本発明の重量選別機の好ましい実施態様では、前記充填済容器の前記内容物の平均重量値と前記管理目標重量値とを比較して、比較結果を前記充填装置へ出力する制御手段を備える。
【００３０】
この実施態様によると、充填済容器の前記内容物の平均重量値と管理目標重量値とを比較してその比較結果を充填装置へ出力するので、充填装置では、前記比較結果に基づいて、目標充填量を、管理目標重量値になるように制御することができる。
【００３１】
（６）本発明の充填計量システムは、容器への物品の充填量が、目標充填量となるように充填する充填装置と、該充填装置の後段に配置され、前記物品が充填された充填済容器の重量を測定する重量選別機とを備える充填計量システムであって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
前記不良品の発生率が設定される設定手段と、
前記設定手段に設定される不良品の発生率に応じて、前記充填装置の前記目標充填量を、管理目標重量値として決定する決定手段と、
前記目標充填量を、前記管理目標重量値に制御する制御手段とを備える。
【００３２】
前記判別手段は、重量選別機に内蔵させるのが好ましく、前記制御手段は、充填装置に内蔵させるのが好ましい。
【００３３】
本発明の充填計量システムによると、許容できる不良品の発生率を設定することによって、それに応じて、充填装置の目標充填量を、管理目標重量値として決定し、充填装置の目標充填量を、管理目標重量値になるように制御するので、不良品の発生率が、許容できる発生率に抑制されることになる。これによって、不良品としての原料物品の損失を、許容できる損失量に抑制することができる。
【００３４】
（７）本発明の充填計量システムでは、容器への物品の充填量が、目標充填量となるように充填する充填装置と、該充填装置の後段に配置され、前記物品が充填された充填済容器の重量を測定する重量選別機とを備える充填計量システムであって、
前記充填済容器の測定重量値と、前記充填済容器についての公称重量よりも大きい基準重量値とに基づいて、前記充填済容器を、その内容物の重量値が、前記基準重量値以上の良品と基準重量値未満の不良品とに判別する判別手段と、
不良品と判別される前記充填済容器の内容物である前記物品の使用量、及び、良品と判別される前記充填済容器の内容物である前記物品の前記公称重量を超える使用量を抑制するように、前記充填装置の前記目標充填量を、管理目標重量値として決定する決定手段と、
前記目標充填量を、前記管理目標重量値に制御する制御手段とを備える。
【００３５】
本発明の充填計量システムによると、不良品として選別される充填済容器の内容物である物品の使用量、すなわち、不良品としての原料物品の損失量、及び、良品と判別される充填済容器の内容物である物品の公称重量を超える使用量、すなわち、製造業者にとって原料物品の損失となる公称重量を超える過剰な物品の使用量を、抑制するように、充填装置の目標充填量を、管理目標重量値として決定し、充填装置の目標充填量を、管理目標重量値になるように制御するので、原料物品の損失を抑制して原料物品の使用効率を向上させることができる。
【発明の効果】
【００３６】
本発明によれば、許容できる不良品の発生率を設定することによって、それに応じて、充填装置の目標充填量を、管理目標重量値として決定し、充填量が管理目標重量値になるように制御するので、不良品としての原料物品の損失量を許容できる損失量に抑制することができる。
【００３７】
また、本発明によれば、不良品としての原料物品の損失量、及び、良品としての公称重量を超える過剰な物品の使用量の少なくともいずれか一方の使用量を、抑制するように、充填装置の目標充填量を、管理目標重量値として決定し、充填量が管理目標重量値になるように制御するので、原料物品の損失を抑制して原料物品の使用効率を向上させることができる。
【図面の簡単な説明】
【００３８】
【図１】本発明の一実施形態に係る充填計量システムの概略構成図である。
【図２】図１の分岐式搬送機（チャンネライザー）を示す概略平面図である。
【図３】重量選別機で測定される充填済容器の内容物の重量分布を示す図である。
【図４】図３の重量分布における管理目標重量値Ｗｑｏを説明するための図である。
【図５】重量選別機の第１回目の制御期間における動作を説明するためのフローチャートである。
【図６】重量選別機の第２回目以降の制御期間における動作を説明するためのフローチャートである。
【図７】選別余裕幅Ｋ＝２．８８（シグマ）に設定した場合の公称重量Ｑｎ、基準重量値Ｑｔ、及び、充填済容器の内容物の平均重量値の各重量レベルの関係を示す図である。
【図８】選別余裕幅Ｋ＝２．６５（シグマ）に設定した場合の公称重量Ｑｎ、基準重量値Ｑｔ、及び、充填済容器の内容物の平均重量値の各重量レベルの関係を示す図である。
【図９】選別余裕幅Ｋ＝１．８８（シグマ）に設定した場合の公称重量Ｑｎ、基準重量値Ｑｔ、及び、充填済容器の内容物の平均重量値の各重量レベルの関係を示す図である。
【図１０】本発明の他の実施形態に係る充填計量システムの概略構成図である。
【図１１】本発明の更に他の実施形態に係る充填計量システムの概略構成図である。
【図１２】図１１の振分け装置（フリッパー）を示す概略平面図である。
【図１３】図１１の重量選別機で測定される包装容器の内容物の重量分布を示す図である。
【図１４】管理目標重量値Ｗｑｏの変更に応じた測定重量値Ｗｘの分布の変化を示す図である。
【図１５】管理目標重量値Ｗｑｏを変更した場合の各度数分布テーブルの事例を示す図である。
【発明を実施するための形態】
【００３９】
以下、本発明の実施形態を図面に基づいて詳細に説明する。
【００４０】
（実施形態１）
図１は、本発明の一実施形態に係る充填計量システムの概略構成図である。
【００４１】
この実施形態のシステムは、包装用の容器１を供給する容器供給装置２と、供給される容器１に、例えば粉粒体状の物品３を一定重量充填する定量重量充填機４と、物品３が充填された容器１の重量を測定して、重量不足の不良品を選別して主搬送ラインから除外する重量選別機５とを備えている。
【００４２】
充填装置としての定量重量充填機４は、オーガー式の充填機であり、オーガー（縦スクリュー）９を、サーボモータ１０で所定の回転数だけ回転させることによって、貯留ホッパ６内の物品３を計量ホッパ７に落下供給する。サーボモータ１０の回転軸に取付けられたパルスジェネレータ１１は、サーボモータ１０の回転に応じたパルスを発生する。定量重量充填機４の制御装置１２は、計量ホッパ７に供給される物品３の重量に対応するロードセル８からの荷重信号と、パルスジェネレータ１１からのパルスとに基づいて、計量ホッパ７に供給される物品３の重量が、目標充填重量になるように、サーボモータ１０の駆動を制御する。
【００４３】
計量ホッパ７は、所要のタイミングで一対の排出ゲート７ａを開放して、供給された一定重量の物品３を容器１に充填する。
【００４４】
物品３が充填された容器１（以下「充填済容器」ともいう）は、重量選別機５へ搬送される。重量選別機５は、ロードセル１３に支持された計量コンベヤ１４と、ロードセル１３からの荷重信号が与えられる制御装置１５とを備えている。
【００４５】
重量選別機５の制御装置１５には、充填済容器１ａの内容重量に対する不良品判別用の後述の基準重量値Ｑｔが設定され、計量コンベヤ１４で測定した充填済容器１ａの測定重量値に基づいて、充填済容器１ａの内容重量値が基準重量値Ｑｔ未満であれば不良品と判別する。重量選別機５の制御装置１５と、定量重量充填機４の制御装置１２とは、通信ラインを介して接続されている。
【００４６】
重量選別機５の後段には、振り分け装置の一種である分岐式搬送機（チャンネライザー）１６が設けられており、図２の概略平面図に示すように、不良品と判定された充填済容器１ａを、コンベヤの主搬送ライン１７から分岐経路１７ａへ搬送して除外する。
【００４７】
良品として選別された充填済容器１ａは、主搬送ライン１７の搬送中に、蓋が装着されて密封され、包装商品とされる。
【００４８】
かかる充填計量システムでは、定量重量充填機４で物品３が充填された充填済容器１ａの内容物の真の重量値が、公称重量Ｑｎより小さければ商品とすることはできない。
【００４９】
定量重量充填機４では、物品３の一定重量を、計量ホッパ７を介して容器１に充填するのであるが、物品３を計量ホッパ７へ落下供給するので計量ホッパ７には衝撃による大きいノイズが発生し、充填サイクル時間が短い場合には、充填途中の物品３の供給量を小さく絞ることができず、計量ホッパ７へ供給した物品３、したがって、容器１に充填した物品３の真の重量のバラツキが大きい。
【００５０】
また、容器１へ物品３を供給する計量ホッパ７には、充填する物品３が付着して零点がドリフトするが、充填サイクル時間が短い場合は、零点重量を測定して零点調整するタイミングがなく、容器１に充填される物品３の真の重量がドリフトする。
【００５１】
したがって、上述の組合せ秤の場合と同様に、定量重量充填機４の目標充填重量を、公称重量として商品を製造して販売することはできず、目標充填重量を、定量重量充填機４の計量誤差を見込んで公称重量値より大きい値に設定して製造する。この目標充填重量の設定が適切でなく、公称重量に近い値に設定すると、重量選別機５で不良品として除外される充填済容器１ａの数が増加し、原料損失となる。反対に、目標充填重量を、公称重量値に比べて十分大きな値に設定すると、充填済容器１ａの内容重量の、公称重量より大きい分が過剰となり、製造業者にとっての原料損失になる。
【００５２】
そこで、この実施形態では、製造業者が許容できる不良品の発生率を重量選別機５に設定することによって、不良品の発生率が、設定された発生率に抑制されるように、定量重量充填機４の目標充填重量を制御する。
【００５３】
あるいは、重量選別機５で不良品として除外される充填済容器１ａの個数を少なくして原料損失を低減しつつ、充填済容器１ａの内容重量の、公称重量より大きい過剰な重量を小さくして製造業者にとっての原料損失を低減するように、定量重量充填機４の目標充填重量を制御して、原料の使用効率を向上させる。
【００５４】
先ず、許容できる不良品の発生率を重量選別機５に設定することによって、不良品の発生率が、設定された発生率に抑制されるように、定量重量充填機４の目標充填重量を制御する場合について説明する。
【００５５】
すなわち、この実施形態では、作業者が、許容できる不良品の発生率を許容不良品率Ｒとして重量選別機５の制御装置１５の図示しない設定表示部を操作して設定する。これによって、制御装置１５は、許容不良品率Ｒに応じた管理目標重量値Ｗｑｏを後述のように決定し、測定した充填済容器１ａの内容重量の平均値と前記管理目標重量値Ｗｑｏとの偏差を算出して定量重量充填機４の制御装置１２に送信する。制御装置１２は、前記偏差を打消すように、目標充填重量を増減制御して容器１への物品３の充填を行う。したがって、重量選別機５によって測定される充填済容器１ａの内容物の重量値が、許容不良品率Ｒに応じた管理目標重量値Ｗｑｏとなるように、定量重量充填機４による物品３の充填量が制御されることになる。
【００５６】
この目標充填重量の増減制御は、重量選別機５で一定の制御期間毎に測定される所定個数単位の充填済容器１ａの内容重量Ｗｘに基づいて行われる。この一定の制御期間に製造される充填済容器１ａの所定個数であるＰ個を、制御単位個数と呼び、稼働運転開始前に重量選別機５の制御装置１５の設定表示部を操作して設定する。
【００５７】
Ｐの値は、充填済容器１ａの内容物の重量の傾向をできるだけ正確に表せるようにするためには、大きい値がよいが、反対に充填済容器１ａの内容物の重量変化に遅れなく制御を追従させるためには、小さい値が適切である。このため、製造ラインや充填される物品３の性質を考慮し、制御期間として、例えば、３０分間とし、その間に製造される充填済容器１ａの個数、例えば、１００個〜５００個程度が設定される。
【００５８】
重量選別機５の制御装置１５には、不良品選別の基準値（境界重量値）である基準重量値Ｑｔが設定される。この基準重量値Ｑｔは、公称重量Ｑｎより大きい値である。重量選別機５では、充填済容器１ａの内容重量が、基準重量値Ｑｔ未満の充填済容器１ａを不良品として選別除外する。
【００５９】
不良品として選別除外される充填済容器１ａが発生する確率、すなわち、不良品の発生率は、製造される充填済容器１ａの重量分布確率と基準重量値Ｑｔとに依存する。
【００６０】
定量重量充填機４に所定の目標充填重量を設定して容器１に物品３を充填しても、容器１に充填された物品３の重量はばらつくので、充填済容器１ａの真の重量がばらつく。容器１の重量のバラツキも充填済容器１ａの真の重量のバラツキの中に含まれる。
【００６１】
更に、重量選別機５も重量測定値にバラツキ誤差を有するので、重量選別機５によって測定される充填済容器１ａの重量値は、充填済容器１ａの内容物の重量のバラツキ、容器１の重量のバラツキ、及び、重量選別機５の重量測定値のバラツキの３つのバラツキ要因を含んで、例えば、図３に示すように正規分布する。
【００６２】
このように重量測定値が正規分布した充填済容器１ａを、基準重量値Ｑｔによって不良品選別する場合、図３に示すように、基準重量値Ｑｔは、公称重量Ｑｎに対して重量選別機５の有する計量誤差を考慮したシフト重量Ｗｓｃを見込んで
Ｑｔ＝Ｑｎ+Ｗｓｃ                       ・・・（１）
と決定する。
【００６３】
重量選別機５の有する計量誤差を考慮したシフト重量Ｗｓｃは、重量選別機５の測定値のバラツキ誤差を表す計量精度Ｅｗと、使用中の零点ドリフト量や重量選別機５の設置された環境条件や零補正の実施状況など、使用条件を考慮した精度余裕見込み値Ｄｆとを用いて
Ｗｓｃ＝Ｅｗ+Ｄｆ                       ・・・（２）
と決定する。
【００６４】
バラツキ誤差を表す計量精度Ｅｗは、重量選別機５単独で同一の重量品を複数回測定した場合に生じるバラツキ誤差を表す３シグマ値を計量精度Ｅｗとする（Ｅｗ＝３シグマ値）。あるいは、計量精度Ｅｗを２シグマ値と規定してもよい。
【００６５】
計量精度Ｅｗの値は、重量選別機５の制御装置１５に設定してそのメモリに格納された固定値とするのが好ましい。この計量精度Ｅｗは、計量条件、すなわち、製造する商品の品種や搬送速度等によって異なるので、予め、これらの要求に対応させた計量条件Ｗｃｎ(ｎ＝１，２，・・・・)を規定し、稼働運転開始前の調整段階において、計量条件Ｗｃ１、Ｗｃ２、・・・・毎にバラツキ誤差を示す計量精度Ｅｗ１、Ｅｗ２・・・・・を求め、計量条件番号別の計量精度テーブルとして制御装置１５のメモリに格納する。稼働運転時には、制御装置１５に計量条件を、その番号ｎの値などによって指定または設定すると、計量精度テーブルから計量条件に応じた計量精度Ｅｗが読み出される。
【００６６】
精度余裕見込み値Ｄｆの値も上記のように重量選別機５の設置された環境条件や零補正の実施状況など、使用条件によって異なるので、初期値は「０」であるが固定値ではなく、使用者が任意の値を設定できるようにするのが好ましい。
【００６７】
このようにして決定されるシフト重量Ｗｓｃの値は、重量選別機５の制御装置１５の設定表示部に表示することができる。
【００６８】
重量選別機５へ搬入された充填済容器１ａは、重量選別機５によって測定された重量値Ｗｘ’から容器１の平均重量値Ｗｐａを差し引いた内容重量Ｗｘに基づいて、基準重量値Ｑｔを境界重量値として良品と不良品とに選別される。前記内容重量Ｗｘが基準重量値Ｑｔ未満の不良品に選別された充填済容器１ａは、上記のように主搬送ライン１７から分岐搬送され、包装商品とはされない。
【００６９】
重量選別機５の制御装置１５では、設定される許容不良品率Ｒに基づいて、管理目標重量値Ｗｑｏが、次のようにして決定される。
【００７０】
重量選別機５によって測定される充填済容器１ａの重量値は、上記のように充填済容器１ａの内容物の重量のバラツキと、容器１の重量のバラツキと、重量選別機５の重量測定のバラツキが加わることによって、図３に示すような正規分布に相当する確率密度関数で表される状態でばらついているものとし、そのバラツキ量の標準偏差をＷｓとする。
【００７１】
定量重量充填機４による物品３の充填重量を制御することによって充填済容器１ａの内容重量の平均重量値Ｗｘａが、例えば、下記（３）式を満足するように制御するとき、
Ｗｘａ−３・Ｗｓ＝Ｑｔ                  ・・・（３）
規準正規分布の確率密度関数に基づけば、Ｚ＝３シグマの値が、０．４９８７であるので、充填済容器１ａの約０．１３％（＝０．５−０．４９８７）だけ基準重量値Ｑｔ未満の内容重量の充填済容器１ａが存在することになり、充填済容器１ａが０．１３％の確率で不良品選別されることになる。
【００７２】
基準重量値Ｑｔから管理目標重量値Ｗｑｏまでの選別余裕幅Ｋとして、シグマ値を設定するようにし、選別余裕幅Ｋ＝３シグマと設定したとする。
【００７３】
管理目標重量値Ｗｑｏは、基準重量値Ｑｔと標準偏差Ｗｓとによって
Ｗｑｏ＝Ｑｔ＋３・Ｗｓ                  ・・・（４）
と表される。平均重量値Ｗｘａを管理目標重量値Ｗｑｏに一致するように制御すれば、０．１３％の確率での不良品選別が達成されることになる。
【００７４】
シグマ値として選別余裕幅Ｋを設定した場合、管理目標重量値Ｗｑｏは、
Ｗｑｏ＝Ｑｔ＋Ｋ・Ｗｓ                  ・・・（５）
と表される。
【００７５】
標準偏差値Ｗｓを求めるために、稼働運転開始前の調整段階において、定量重量充填機４及び重量選別機５を、稼働運転時と同様の条件で運転する。すなわち、定量重量充填機４には、稼働運転時に製造する充填済容器１ａの所定の目標充填重量を設定し、調整段階のテストとして繰り返し物品３を容器１へ充填して複数個の充填済容器１ａを製造する。製造される充填済容器１ａの重量を、稼働運転時の条件にて重量選別機５で測定し、制御装置１５は、測定した重量測定値によって標準偏差値Ｗｓを算出する。
【００７６】
重量選別機５の制御装置１５に、シグマ値として選別余裕幅Ｋを設定すると、算出された標準偏差値Ｗｓと設定された選別余裕幅Ｋとによって、上記（５）式に従って、管理目標重量値Ｗｑｏを決定することができる。なお、基準重量値Ｑｔは、公称重量Ｑｎが設定されることによって、上記（１），（２）式に従って算出される。
【００７７】
この実施形態では、選別余裕幅Ｋを重量選別機５の制御装置１５に設定するのではなく、許容できる不良品の発生率を設定することによって、選別余裕幅Ｋが決定され、更に、管理目標重量値Ｗｑｏが決定される。
【００７８】
すなわち、許容できる不良品の発生率として、許容不良品率Ｒを制御装置１５に設定する。
【００７９】
重量選別機５の制御装置１５の図示しない制御演算部には、内蔵のメモリに予め規準正規分布表が格納されており、許容不良品率Ｒが設定されることによって、次のようにして、選別余裕幅Ｋ(シグマ値)及び管理目標重量値Ｗｑｏを決定する。
【００８０】
すなわち、許容不良品率Ｒが、例えばＲ＝１（％）に設定されると、規準正規分布表において０．５−（Ｒ／１００）＝０．５−０．０１＝０．４９に最も近い値を探す。
【００８１】
Ｚ＝２．３３シグマの値が０．４９０１であるので、図４に示すように、管理目標重量値Ｗｑｏを、
Ｗｑｏ＝Ｚ＋Ｑｔ＝２．３３・Ｗｓ＋Ｑｔ  ・・・（６）
と決定する。
【００８２】
設定した許容不良品率Ｒに丁度当てはまるＺ値が無い場合は最も近いＺ値を用いもよいし、補間法で求めてもよい。
【００８３】
許容不良品率Ｒの代わりに、上記制御単位個数であるＰ個に対する不良個数としてもよい。その場合、許容不良品率Ｒは、不良個数をＲｕとすると、
Ｒ＝（Ｒｕ／Ｐ）・１００(％)になる。
【００８４】
管理目標重量値Ｗｑｏを算出するための標準偏差Ｗｓは、上記のように稼働運転開始前の調整段階のテストで決定して固定値として設定してもよいが、次のようにして決定してもよい。
【００８５】
すなわち、稼働運転開始時は、充填済容器１ａが不良品として選別されにくいように大きめの仮の管理目標重量値Ｗｑｏを設定し、第１回目の制御期間として定めた制御単位個数であるＰ個の充填済容器１ａを製造し、充填済容器１ａの重量測定値を以て標準偏差Ｗｓを算出し、算出した標準偏差Ｗｓによって上記（５）式を使用し、管理目標重量値Ｗｑｏを定め、下記に述べるように充填目標重量を制御するようにしてもよい。
【００８６】
そして第２回目以降の制御期間以降に、第１回目の制御期間で求めた標準偏差Ｗｓを継続的に使用してもよいが、制御期間毎に、運転開始時点からこれまでの重量測定値、或いは、制御期間毎の重量測定値に基づいて最新の標準偏差Ｗｓを算出して次の管理目標重量値Ｗｑｏを更新するようにしてもよい。
【００８７】
次に、定量重量充填機４の目標充填重量の増減制御について説明する。
【００８８】
重量選別機５で測定された充填済容器１ａの内容重量値のＰ個単位の平均値と、上記の管理目標重量値Ｗｑｏとに基づいて、定量重量充填機４の充填重量を制御する。
【００８９】
ここでは、稼働運転開始後に標準偏差Ｗｓを求める場合について説明する。
【００９０】
稼働運転開始時点では、重量選別機５の制御装置１５の設定表示部から、制御期間に対応する制御単位個数Ｐ、公称重量Ｑｎ、シフト重量Ｗｓｃ及び許容不良品率Ｒ（％）を設定入力する。但し、精度余裕見込み値Ｄｆは予め設定されており、計量条件Ｗｃｎを設定することによって計量精度Ｅｗが読み出され、上記（２）式によってシフト重量Ｗｓｃが設定されるものとする。
【００９１】
これによって、基準重量値Ｑｔが算出、設定される。運転開始時は、定量重量充填機４の制御装置１２に、充填済容器１ａの内容重量が基準重量値Ｑｔに比べて十分余裕のある目標充填重量を設定する。
【００９２】
重量選別機５で充填済容器１ａの重量Ｗｘ’が測定され、予め設定された容器１の平均重量値Ｗｐａが差し引かれ、重量選別機５の重量測定値として、充填済容器１ａの内容重量Ｗｘ（＝Ｗｘ’−Ｗｐａ）が算出される。
【００９３】
なお、定量重量充填機４側には、物品３の充填に伴うトラブルが発生する場合があるので、適正な充填済容器１ａとしての重量であるか否かを判定するため、下限値Ｗｅ１と上限値Ｗｅ２を予め設定し、測定した重量が、この適正な重量範囲に入らない場合は、制御演算対象から除外する。
【００９４】
稼働運転開始後からＰ個の充填済容器１ａの重量を測定した後、重量測定値に基づいて標準偏差Ｗｓを算出し、管理目標重量値Ｗｑｏを上記のように決定して制御運転に入る。
Ｐ個の充填済容器１ａの内容重量Ｗｘを測定する度に、最新の平均重量値Ｗｘａと最新の標準偏差Ｗｓを求め、平均重量値Ｗｘａと管理目標重量値Ｗｑｏとの比較結果、例えば差ｗｄｘを下記のように算出する。
【００９５】
Ｗｘａ−Ｗｑｏ＝ｗｄｘ
この差ｗｄｘの絶対値と符号を制御対象となる定量重量充填機４に対する操作量として、定量重量充填機４の制御装置１２へ送信する。なお、平均重量値Ｗｘａと管理目標重量値Ｗｑｏとの比較結果として、平均重量値Ｗｘａと管理目標重量値Ｗｑｏとの比率を求めて比率値を送信してもよい。同時にＰ個の平均重量値Ｗｘａも送信する。
【００９６】
定量重量充填機４と重量選別機５との間の搬送経路に、Ｓ個の充填済容器１ａが存在するとすれば、重量選別機５が操作量を送信し、定量重量充填機４側でその操作量に基づく制御が行われた結果として現れる充填済容器１ａは、Ｓ個が通過した後になるので、次の制御のためのＰ個の充填済容器１ａの重量の収集は、Ｓ個の充填済容器１ａの内容重量の測定値を除外して次のＰ個の重量測定値を収集する。Ｓの値は不感個数として稼働運転開始前に重量選別機５の制御装置１５に設定する。
【００９７】
常に重量選別機５によって測定した充填済容器１ａの内容重量の平均値Ｗｘａが、管理目標重量値Ｗｑｏ付近になるように制御するので、不良品率が許容不良品率Ｒに近い値となる。
【００９８】
なお、不感個数であるＳ個は、制御単位個数であるＰ個に比べて小さいく影響が少ないので、２回目以降の制御期間では、（Ｐ＋Ｓ）個の充填済容器１ａの重量測定値を収集するようにしてもよい。
【００９９】
定量重量充填機４では、目標充填重量値Ｗｔを設定して充填を行うので、重量選別機５から受信した上記差ｗｄｘの絶対値と符号によって、目標充填重量値Ｗｔを、
Ｗｔ−ｗｄｘ → Ｗｔ                    ・・・（７）
と、修正する。すなわち、偏差を打消すように、目標充填重量を修正する。
【０１００】
これによって、重量選別機５によって測定した充填済容器１ａの内容重量の平均値Ｗｘａが、管理目標重量値Ｗｑｏになるように制御され、重量選別機５によって選別される不良品が、設定された許容不良品率に近い値となる。
【０１０１】
図５は、重量選別機５の上記動作作を説明するためのフローチャートである。
【０１０２】
先ず、稼働運転開始後の第１回目の制御期間が終了したことを示す第１終了フラグＦ１が「１」にセットされているか否かを判断し（ステップｎ１）、セットされていないとき、すなわち、第１回目の制御期間が終了していないときには、制御用の集計演算に入る。この集計演算では、充填済容器１ａの重量測定値Ｗｘ´を読込んだか否かを判断し（ステップｎ２）、読込んでいないときには、終了する。
【０１０３】
ステップｎ２で重量測定値Ｗｘ´を読込んだと判断したときには、重量測定値Ｗｘ´から容器１の平均重量Ｗｐａを減算して充填済容器１ａの内容重量Ｗｘを算出し（ステップｎ３）、内容重量Ｗｘが制御演算対象として適正な重量範囲、すなわち、上記の下限値Ｗｅ１と上限値Ｗｅ２とによって規定される重量範囲であるか否かを判断し（ステップｎ４）、適正な重量範囲にないときには、終了する。
【０１０４】
ステップｎ４で、内容重量Ｗｘが、適正な重量範囲にあるときには、充填済容器１ａの計量個数を計数する個数カウンタＣｘに「１」を加算し（ステップｎ５）、内容重量Ｗｘの平均値や標準偏差を算出するための集計処理を行なう。具体的には、内容重量Ｗｘを積算し（ステップｎ６）、内容重量Ｗｘの２乗を積算する（ステップｎ７）。
【０１０５】
次に、充填済容器１ａの計量個数を計数する個数カウンタＣｘの計数値が、制御単位個数であるＰ個になったか否かを判断し（ステップｎ８）、Ｐ個になっていないときには終了し、Ｐ個になったときには、充填済容器１ａの内容重量Ｗｘの平均値Ｗｘａを算出し（ステップｎ９）、更に、標準偏差Ｗｓを算出し（ステップｎ１０）、上記ステップｎ６，ｎ７で集計した集計値をリセットする（ステップｎ１１）。
【０１０６】
次に、設定されている許容不良率Ｒに対応するＺ値を、規準正規分布表に基づいて算出し（ステップｎ１２）、管理目標重量値Ｗｑｏを、上記の（６）式に基づいて算出する（ステップｎ１３）。なお、（６）式における基準重量値Ｑｔは、上記の（１）式及び（２）式に基づいて算出する。
【０１０７】
次に、個数カウンタＣｘの計数値を「０」にリセットし（ステップｎ１４）、第１回目の制御期間が終了したことを示す第１終了フラグＦ１を「１」にセットして終了する（ステップｎ１５）。
【０１０８】
上記のステップｎ１で、第１終了フラグＦ１が、「１」にセットされているときには、第１回目の制御期間が終了したので、図６のステップｎ１６に移り、第１回目以降の制御期間が終了したことを示す第２終了フラグＦ２が「１」にセットされているか否かを判断し、セットされているときには、制御期間が終了したので、ステップｎ２１に移る。ステップｎ２１では、充填済容器１ａの重量測定値Ｗｘ´を読込んだか否かを判断し、読込んでいないときには、終了し、重量測定値Ｗｘ´を読込んだときには、充填済容器１ａの計量個数を計数する個数カウンタＣｘの計数値に「１」を加算し（ステップｎ２２）、個数カウンタＣｘの計数値が、不感個数であるＳ個になったか否かを判断し（ステップｎ２３）、Ｓ個になっていないときには、終了し、Ｓ個になったときには、個数カウンタの計数値を「０」にリセットし（ステップｎ２４）、第２終了フラグＦ２を「０」にリセットしてステップｎ１６に戻る（ステップｎ２５）。
【０１０９】
このようにして制御期間終了後のＳ個の充填済容器１ａは、制御演算の対象から除外する。
【０１１０】
ステップｎ１６で、第２終了フラグＦ２が「１」にセットされていない、すなわち、「０」にリセットされているときには、制御期間が終了していないので、ステップｎ１７に移り、第２回目以降の制御期間における制御用の集計演算処理を行なう。この集計演算処理は、図５のステップｎ２〜ステップｎ１４までの処理と同様であり、説明を省略する。
【０１１１】
次に、ステップｎ１８では、今回の制御期間で取得した重量測定値に基づく充填済容器１ａの内容重量の平均値Ｗｘａと、前回の制御期間で算出されて今回の制御期間の制御に用いられた管理目標重量値Ｗｑｏとの差ｗｄｘを算出し、算出した差ｗｄｘの絶対値と符号とを、定量重量充填機４へ送信し（ステップｎ１９）、制御期間が終了したことを示す第２終了フラグＦ２を「１」にセットして終了する（ステップｎ２０）。
【０１１２】
定量重量充填機４では、差ｗｄｘがなくなるように、目標充填重量を制御し、これによって、重量選別機５で不良品として選別される充填済容器１ａの発生率が、設定された許容不良品率Ｒに近い値となり、不良品としての原料物品の損失を、許容できる損失量に抑制することができる。
【０１１３】
上記のように、作業者が、重量選別機５の制御装置１５に、許容不良品率Ｒを設定することによって、許容不良品率Ｒに応じた管理目標重量値Ｗｑｏを決定し、測定した充填済容器１ａの内容重量と管理目標重量値Ｗｑｏとの偏差を算出して定量重量充填機４の制御装置１２に送信し、制御装置１２は、前記偏差を打消すように、目標充填重量を制御することによって、不良品としての原料物品の損失を、許容できる損失量に抑制することができる。
【０１１４】
また、重量選別機５によって測定した充填済容器１ａの内容重量の平均値Ｗｘａが、管理目標重量値Ｗｑｏ付近となるように制御されるので、充填済容器１ａの内容重量が、基準重量値Ｑｔより大きくなり過ぎることもない。これによって、充填済容器１ａの内容物の、公称重量Ｑｎを超える過剰な量が大きくなり過ぎることによる原料の損失を防止することができる。
【０１１５】
以上では、許容不良品率Ｒを設定し、それに応じて管理目標重量値Ｗｑｏを決定したけれども、更に、この実施形態では、重量選別機５で不良品として除外される充填済容器１ａの個数を少なくして原料損失を低減しつつ、充填済容器１ａの内容重量の、公称重量より多い過剰な量を少なくして製造業者にとっての原料損失を低減して、原料の使用効率を向上させることができる。
【０１１６】
すなわち、この実施形態では、充填済容器１ａの重量分布、基準重量値Ｑｔ、公称重量値Ｑｎに基づいて、充填済容器１ａを所定の個数だけ製造した場合に、原料の使用効率を最大にする管理目標重量値Ｗｑｏを決定することができる。
【０１１７】
定量重量充填機４で製造され、重量選別機５で測定された充填済容器１ａの内容重量値は、上記のように正規分布している。
【０１１８】
容器１に充填する物品である原料の使用効率をコストの観点から最大にするには、すなわち、製造業者にとって原料損失量を最小にするには、製造する充填済容器１ａの内容重量値の目標値である管理目標重量値Ｗｑｏを、大きく設定し過ぎて充填済容器１ａの内容重量が大きくなり過ぎ、公称重量から余裕があり過ぎないようにする必要がある。反対に、管理目標重量値Ｗｑｏを小さく設定し過ぎて充填済容器１ａの内容重量が小さくなり過ぎて、不良品個数が増えないように選択する必要がある。
【０１１９】
具体的な事例を掲げて説明する。
【０１２０】
例えば、公称重量Ｑｎ＝１００ｇ、標準偏差Ｗｓ＝１ｇで充填される充填済容器１ａで、重量選別機５の計量誤差を見込み、Ｗｓｃ＝１ｇが設定されているとする。
【０１２１】
基準重量値Ｑｔ＝Ｑｎ＋Ｗｓｃ＝１０１ｇを境界重量値として不良品が選別される。
【０１２２】
充填済容器１ａの、例えば１０００個を計量選別した場合に、選別余裕幅Ｋの設定値の違いによって、原料の損失量がどのようになるかを計算する。
【０１２３】
ここで、原料損失量の定義は、重量選別機５で測定した充填済容器１ａの内容重量について、公称重量値との重量差分と、不良品選別される充填済容器１ａの内容重量分（基準重量値Ｑｔ未満の種々の重量値のものがあるが公称重量値であるとする）とし、これらの合計値を合計原料損失量とする。
【０１２４】
なお、原料損失量の定義を、重量選別機５で測定した充填済容器１ａの内容重量の基準重量値との重量差分と、不良品選別される充填済容器１ａの内容重量分（基準重量値Ｑｔ未満の種々の重量値のものがあるが基準重量値Ｑｔであるとする）とし、これらの合計値を合計原料損失量としてもよい。
【０１２５】
（１）選別余裕幅Ｋ＝２．８８（シグマ）に設定した場合
図７に示すように、公称重量Ｑｎ＝１００ｇに対して、標準偏差Ｗｓ＝１ｇであり、基準重量値Ｑｔ＝Ｑｎ＋Ｗｓｃ＝１０１ｇとなる。選別余裕幅Ｋ＝２．８８シグマであり、充填済容器１ａの内容重量の平均値Ｗｘａは、管理目標重量値Ｗｑｏに制御されるので、その値は、Ｗｑｏ＝Ｑｔ＋Ｋ・Ｗｓ＝１０３．８８ｇとなる。
【０１２６】
規準正規分布表の上で、２．８８シグマは、Ｚ＝０．４９８であり、Ｚ＝Ｑｔ以下のものの分布確率は、０．００２になる。すなわち、不良品率＝０．００２となり、１０００個の充填済容器１ａに対して、発生する不良品の個数は、２個となる。
【０１２７】
したがって、良品個数は、
１０００−２＝９９８
となり、良品1個当たりの原料の平均損失量は、
１０３．８８ｇ−１００ｇ＝３．８８ｇ
となり、良品についての原料損失量の合計は、
９９８×３．８８＝３８７２．２４ｇ
となる。
【０１２８】
一方、不良品による原料損失量は、不良品の内容重量が公称重量であったとすると、
１００×２＝２００ｇ
となる。
【０１２９】
したがって、良品及び不良品についての原料損失量の合計は、
３８７２．２４ｇ＋２００ｇ＝４０７２．２４ｇ
となる。
【０１３０】
（２）選別余裕幅Ｋ＝２．６５（シグマ）に設定した場合
選別余裕幅Ｋを少し小さくし、不良品選別数を増やす代わりに良品の損失量を減らすためにＫ＝２．６５（シグマ）に設定した場合は、図８に示すように、充填済容器１ａの内容重量の平均値は、１０３．６５ｇとなる。
【０１３１】
規準正規分布表の上で、２．６５シグマは、Ｚ＝０．４９６であり、Ｚ＝Ｑｔ以下のものの分布確率は、０．００４になる。すなわち、不良品率＝０．００４となり、１０００個の充填済容器１ａに対して、発生する不良品の個数は、４個となる。
【０１３２】
したがって、良品個数は、
１０００−４＝９９６
となり、良品1個当たりの原料の平均損失量は、
１０３．６５ｇ−１００ｇ＝３．６５ｇ
となり、良品についての原料損失量の合計は、
９９６×３．６５＝３６３５．４ｇ
となる。
【０１３３】
一方、不良品による原料損失量は、
１００×４＝４００ｇ
となる。
【０１３４】
したがって、良品及び不良品についての原料損失量の合計は、
３６３５．４ｇ＋４００ｇ＝４０３５．４ｇ
となる。
【０１３５】
（３）選別余裕幅Ｋ＝１．８８（シグマ）に設定した場合
更に選別余裕幅Ｋを小さくし、Ｋ＝１．８８（シグマ）に設定した場合は、図９に示すように、充填済容器１ａの内容重量の平均値は、１０２．８８ｇとなる。
【０１３６】
規準正規分布表の上で、１．８８シグマは、Ｚ＝０．４６９９であり、Ｚ＝Ｑｔ以下のものの分布確率は、０．０３になる。すなわち、不良品率＝０．０３となり、１０００個の充填済容器に対して、発生する不良品の個数は、３０個となる。
【０１３７】
したがって、良品個数は、
１０００−３０＝９７０
となり、良品1個当たりの原料の平均損失量は、
１０２．８８ｇ−１００ｇ＝２．８８ｇ
となり、良品についての原料損失量の合計は、
９７０×２．８８＝２７９３．６ｇ
となる。
【０１３８】
一方、不良品による原料損失量は、
１００×３０＝３０００ｇ
となる。
【０１３９】
したがって、良品及び不良品についての原料損失量の合計は、
２７９３．６ｇ＋３０００ｇ＝５７９３．６ｇ
となる。
【０１４０】
以上のように製造される充填済容器１ａの重量が正規分布する場合、バラツキ量Ｗｓが与えられ、公称重量Ｑｎ、不良品選別の基準重量値Ｑｔが設定されると、選別余裕幅Ｋを変更することによって管理目標重量値Ｗｑｏを種々に変更した場合、定量重量充填機４が製造する充填済容器１ａの重量選別機５での重量測定値の平均値Ｗｘａを、管理目標重量値Ｗｑｏに一致するように制御したときの所定の処理個数における原料の損失量が算定できる。そして、上記事例では、選別余裕幅Ｋ＝２．８８とＫ＝１．８８との間に原料損失量を最小にするＫの値が存在することが判る。
【０１４１】
そこで、この実施形態では、重量選別機５の制御装置１５の設定表示部を操作して、原料の使用効率を最大する管理目標重量値Ｗｑｏを決定するモードを設定する。
【０１４２】
制御装置１５では、この設定に応じて、原料損失量を最小にする管理目標重量値Ｗｑｏを次の手順で決定する。
【０１４３】
稼働運転開始前に定量重量充填機４によって、例えば、基準重量値Ｑｔにほぼ等しい重量のサンプル商品を製造して重量選別機５で重量測定し、標準偏差Ｗｓを求める。
【０１４４】
選別余裕幅Ｋを最小値にとる場合（すなわち管理目標重量値Ｗｑｏが、基準重量値Ｑｔに等しい場合）から最大値を取る場合（すなわち管理目標重量値Ｗｑｏが基準重量値Ｑｔに対して、充填済容器１ａの重量選別機５での重量測定値のバラツキについて、３．５シグマ、４シグマだけ大きい値である場合）について、選別余裕幅Ｋの値を、その間をできるだけ小さいシグマ値に関するステップ値で変更しつつ、管理目標重量値Ｗｑｏを変更し、上記の定義によって合計原料損失量を求め、相互に比較し、合計原料損失重量が最小の場合の管理目標重量値Ｗｑｏを決定する。
【０１４５】
合計原料損失重量が最小となる管理目標重量値Ｗｑｏを決定した後の動作は、許容不良品率Ｒ（％）の設定に応じて、管理目標重量値Ｗｑｏを決定した上記の場合と同様である。
【０１４６】
このように不良品として選別される充填済容器１ａの原料物品の損失量、及び、良品の公称重量を超える原料物品の損失量を、抑制するように管理目標重量値Ｗｑｏを決定して定量重量充填機４の目標充填重量を制御するので、原料物品の損失を抑制して原料物品の使用効率を最大にすることができる。
【０１４７】
この実施形態では、重量選別機５の制御装置１５で、管理目標重量値Ｗｑｏを算出し、充填済容器１ａの内容重量Ｗｘの平均値Ｗｘａとの差ｗｄｘを定量重量充填機４の制御装置１２に送信するようにしたけれども、充填済容器１ａの内容重量Ｗｘの平均値Ｗｘａ等の重量データを定量重量充填機４の制御装置１２に送信すると共に、制御装置１２で管理目標重量値Ｗｑｏを算出できるようにし、充填済容器１ａの内容重量Ｗｘの平均値Ｗｘａと管理目標重量値Ｗｑｏとの差ｗｄｘを制御装置１２で算出して充填目標重量を制御するようにしてもよい。
【０１４８】
あるいは、重量選別機５の制御装置１５と、定量重量充填機４の制御装置１２とを一台の制御装置で構成してもよい。
【０１４９】
(実施形態２)
上述の実施形態では、物品３を包装用の容器１に一定重量充填する定量重量充填機４に適用して説明したけれども、本発明は、物品を包装用の容器１に一定体積充填する定量体積充填機にも同様に適用できるものである。
【０１５０】
図１０は、定量重量充填機４に代えて、物品３を、包装用の容器１に一定体積充填する定量体積充填機４ａを備える充填計量システムの概略構成図であり、図１に対応する部分には、同一の参照符号を付す。
【０１５１】
この充填計量システムでは、生産される商品は、重量値に応じた価格で販売される。したがって、定量体積充填機４ａで物品３が充填された充填済容器１ａの内容量の真の重量値が公称重量Ｑｎより小さければ商品とすることはできない。
【０１５２】
定量体積充填機４ａで、所定の目標充填体積を設定して容器１へ物品３を充填しても、定量体積充填機４ａによる充填体積量のバラツキがあるのでそれに応じて重量値がばらつく。
【０１５３】
また、物品３の温度が異なると、物品３の見かけ比重が異なるので、所定の体積量だけ充填しても物品３の温度の変動に応じて重量が変動する。
【０１５４】
定量体積充填機４ａの制御装置１２ａは、設定された目標充填体積Ｖｔなるように、容器１に充填する物品３の体積を制御する。
【０１５５】
この実施形態の定量体積充填機４ａは、オーガー式の充填機であり、オーガー９の所定の回転数に対応する所定の体積量の物品３を容器１に充填する。定量体積充填機４ａの制御装置１２ａは、オーガー９の回転軸の設けたパルスジェネレータ１１からのパルス数を内蔵のカウンタで計数する。
【０１５６】
予め稼働運転開始前の調整段階でのテストによって、常温における物品３の体積Ｖとオーガー９の回転数に対応するパルス数Ｃとを
Ｖ＝ｋｃ・Ｃ                 ・・・（８）
と、比例定数ｋｃを定めて関係づける。
【０１５７】
所定の環境条件における物品３の見かけ比重をρとすると、充填重量Ｗと体積Ｖとの関係は
Ｗ＝ρ・Ｖ                              ・・・（９）
である。パルス数Ｃと充填重量Ｗの関係は（８）、（９）式より
Ｃ＝Ｖ／ｋｃ＝（１／ρ・ｋｃ）・Ｗ              ・・・（１０）
になる。
【０１５８】
オーガ一式の定量体積充填機４ａでは、所定の体積量Ｖｔを充填するための所定のパルス数（目標充填パルス数）Ｃｔを、
Ｃｔ＝Ｖｔ／ｋｃ                              ・・・（１１）
と定め、オーガー９を、パルス数がＣｔになるまで回転させ、所定の充填体積量を得る。体積量Ｖｔの物品３の重量は、所定の環境条件では見かけ比重がρであるため重量は
Ｗｔ＝ρ・Ｖｔ                                ・・・（１２）
となる。しかし環境条件が変化し、見かけ比重ρの値が変化すると、所定のパルス数Ｃｔにて充填していても充填済容器１ａの内容重量がＷｔから変化し、上記のように重量選別機５において基準重量値Ｑｔで不良品を選別すると、不良品が増えたり、原料損失が増えたりする。
【０１５９】
稼働運転開始時に、充填済容器１ａの内容重量として、例えば基準重量値Ｑｔより表示重量値の最小目盛の２倍の重量Ｗｄだけ大きい重量を、初期充填重量Ｗｔとして定量体積充填機４ａの制御装置１２ａに設定する。
【０１６０】
初期充填重量Ｗｔは（１０）、（１１）式によって
Ｃｔ＝（１／ρ・ｋｃ）・Ｗｔ              ・・・（１３）
と、オーガー９の回転数に対応する目標パルス数Ｃｔに変換され、個々の充填済容器１ａは、パルス数Ｃｔで物品３が容器１へ充填され、重量選別機５へ送られ、内容重量Ｗｘが測定される。
【０１６１】
見かけ比重ρの値は、環境条件で変動するので定量体積充填機４ａ側で充填体積量の増減制御を行う。
【０１６２】
したがって、上記実施形態と同様に、重量選別機５から送信された充填済容器１ａの内容重量の平均値Ｗｘａと管理目標重量値Ｗｑｏと差ｗｄｘの値から、下記（１４）式にて増減すべきパルス数ｃｄｘに
ｃｄｘ＝（１／ρ・ｋｃ）・ｗｄｘ        ・・・（１４）
と、変換され、同時に送信された符号を考慮して
Ｃｔ−ｃｄｘ → Ｃｔ                    ・・・（１５）
と算出して、充填済容器１ａの内容重量が管理目標重量値Ｗｑｏになるように新たな目標充填パルス数を求めて物品３を容器１に充填する。
【０１６３】
なお（１４）式の計算おいて、見かけ比重ρの変化によって修正パルス数の値も変化するので、（１４）式の関係から
ρ＝（１／ｋｃ・Ｃｔ）・Ｗｘ
であるから、最新の見かけ比重値ρｎとして、同時送信されたＰ個の平均重量値Ｗｘａを使用して
ρｎ＝（１／ｋｃ・Ｃｔ）・Ｗｘａ       ・・・（１６）
を算出し、（１６）式によって
ｃｄｘ＝（１／ρｎ・ｋｃ）・ｗｄｘ     ・・・（１７）
と補正することが好ましい。しかし、ｃｄｘは小さい値であるから調整時点で求めた見かけ比重値ρを使用してもよい。
その他の構成は、上述の実施形態と同様である。
【０１６４】
(実施形態３)
上述の各実施形態では、一定重量または一定体積の物品３を容器１に充填する定量充填機４，４ａに適用して説明したが、本発明は、組合せ秤で組合せ計量された物品を、包装袋等に充填する場合にも同様に適用できるものである。
【０１６５】
図１１は、組合せ秤２０を用いたシステムの概略構成図であり、図１に対応する部分には、同一の参照符号を付す。
【０１６６】
この実施形態のシステムは、菓子類などの物品を組合せ計量して排出する組合せ秤２０と、組合せ秤２０から排出される物品を包装する包装機２１と、包装機２１からの包装商品の重量を測定して選別する重量選別機５ａとを備えている。
【０１６７】
組合せ秤２０では、図示しない供給装置から分散フィーダ２３の中央部に物品(図示せず)が供給され、分散フィーダ２３では振動によって物品をその周縁部方向へ送り出し、分散フィーダ２３の周辺に放射状に設置された複数のリニアフィーダ２４へ搬送する。各リニアフィーダ２４には振動装置が取り付けられており、各々のリニアフィーダ２４を振動させることによって物品を搬送してリニアフィーダ２４の周辺に放射状に設置された複数の供給ホッパ２５に投入する。各供給ホッパ２５では一時的に物品を保持し、底部の開閉可能な排出用のゲートを開いて、各供給ホッパ２５の下方にそれぞれ配設された各計量ホッパ２６に物品を投入する。各計量ホッパ２６では投入された物品の重量が、複数のロードセル等の各重量センサ２７によって計量される。
【０１６８】
各重量センサ２７の検出出力は、組合せ秤２０内部に配置された制御装置２２に与えられ、制御装置２２では、各重量センサ２７の重量値に基づいて組合せ演算することにより、組合せ重量が、所定重量範囲であって、目標組合せ重量と一致するか最も近い計量ホッパ２６の組合せを、最適組合せとして選択し、選択された最適組合せの計量ホッパ２６の排出用のゲートを開いて物品を排出し、集合シュート２８を介して包装機２１へ投入する。
【０１６９】
包装機２１は、組合せ秤２０の最適組合せの計量ホッパ２６から排出された物品を受け取って、その物品を包装袋などの包装材で包装し、包装商品１ｂとして搬送コンベヤへ排出する。
【０１７０】
この実施形態では、組合せ秤２０と包装機２１とによって、組合せ計量された物品を包装袋に充填する充填装置が構成される。
【０１７１】
重量選別機５ａでは、上述の各実施形態と同様に、計量コンベヤ１４で測定した包装商品１ｂの内容重量値が、基準重量値Ｑｔ未満であれば不良品と判定し、後段の振り分け装置としてのフリッパー２９を作動させて図１２の概略平面図に示すように、不良品と判定された包装商品１ｂを、コンベヤの主搬送ライン１７から落下除外する。
【０１７２】
組合せ秤２０には、目標組合せ重量値Ｗｔ、上限重量値Ｗｕが図示しない設定表示部から設定され、複数の計量ホッパ２６に貯留した物品の重量測定値に基づいて組合せ演算を行い、組合せ重量値が、目標組合せ重量値Ｗｔ以上であって、上限重量値Ｗｕ以下の所定重量範囲にあって、最も目標組合せ重量値Ｗｔに近いものを最適組合せとして選択し、選択した計量ホッパ２６に貯留した物品を包装機２１に投入し、包装機２１で袋詰めして包装商品１ｂとする。
【０１７３】
したがって、包装商品１ｂの内容物の重量測定値は、目標組合せ重量値Ｗｔ以上であって、上限重量値Ｗｕ以下の所定重量範囲にあり、目標組合せ重量Ｗｔに近づくほど分布確率が大きい。
【０１７４】
しかし、組合せ秤２０の計量器である計量ホッパ２６の測定重量値には、バラツキ誤差があるので、包装商品１ｂの内容物の真の重量は、目標組合せ重量値Ｗｔ未満の重量から上限重量値Ｗｕを超える重量範囲まで分布する。更に、このように重量分布する包装商品１ｂの重量選別機５による重量測定値の分布は、重量選別機５の計量バラツキによってそれより広がり、図１３に表すような形状になる。
【０１７５】
この分布は正規分布でなく、上記実施形態のように、正規分布の確率密度関数を適用することはできない。
【０１７６】
この場合の管理目標重量値Ｗｑｏの決定は、稼働運転開始前の調整段階にて、目標組合せ重量値Ｗｔ、上限重量値Ｗｕを設定してできるだけ多くの組合せ選択品である包装商品１ｂを製造し、重量選別機５にて重量を測定し、包装商品１ｂの内容物の重量測定値Ｗｘにおける調整運転段階時の平均重量値Ｗｘａと最小重量値Ｗｍｉｎを求め、その差を下方最大ばらつき幅（Ｗｘａ−Ｗｍｉｎ）として管理目標重量値Ｗｑｏを、
Ｗｑｏ＝Ｑｔ＋（Ｗｘａ−Ｗｍｉｎ）  ・・・（１８）
と設定する。下方最大ばらつき幅（Ｗｘａ−Ｗｍｉｎ）は、上記（５）式の選別余裕幅Ｋと標準偏差Ｗｓとの積Ｋ・Ｗｓに相当するものである。
【０１７７】
つまり、組合せ品において極めて小さい確率でしか不良品選択がなされないように制御する。
【０１７８】
ただし調整段階での組合せ選択品の個数は、作業時間、コストの関係で多くは取れないので、調整運転段階で得た平均重量値Ｗｘａと最小重量値Ｗｍｉｎの幅である下方ばらつき幅Ｄｗ（＝Ｗｘａ−Ｗｍｉｎ）は、統計的に偏りのある可能性がある。
【０１７９】
稼働運転に入ると、制御単位個数であるＰ個の重量を測定する制御期間毎に下方最大ばらつき幅Ｄｗが求まるので、制御期間毎に継続的に複数の下方最大ばらつき幅Ｄｗを加算して制御期間回数で除算し、稼働運転時の平均重量値Ｗｘａと最小重量値Ｗｍｉｎを使用して下方最大ばらつき幅の平均値Ｄｗａを、Ｄｗａ＝Ｗｘａ−Ｗｍｉｎとして求めることで下方最大ばらつき幅の統計的な信頼性を高め、平均値Ｄｗａを以て管理目標重量値Ｗｑｏを
Ｗｑｏ＝Ｑｔ＋Ｄｗａ                      ・・・（１９）
と、更新させた上で、
Ｗｘａ−Ｗｑｏ＝ｗｄｘによって差ｗｄｘを求める。
【０１８０】
差ｗｄｘの絶対値と符号を組合せ秤２０へ送信し、組合せ秤２０では目標組合せ重量値Ｗｔをｗｄｘの絶対値と符号に基づいて
Ｗｔ−ｗｄｘ→ Ｗｔ                     ・・・（２０）
と修正する。
【０１８１】
また、稼働運転開始前の調整段階、或いは、稼働運転段階で組合せ選択品である包装商品１ｂを製造し、重量選別機５で包装商品１ｂの重量を測定する。
【０１８２】
重量選別機５の制御装置５ａでは、包装商品１ｂの重量の測定結果に基づいて、包装商品１ｂの内容物の測定重量値別の包装商品１ｂの個数を、重量の最小表示目盛、例えば１ｇのステップで分割した重量値別に分類集計した度数分布テーブルを作成してメモリに格納する。すなわち、包装商品１ｂの内容物の各測定重量値と、各測定重量値の包装商品１ｂの個数とを対応させた度数分布テーブルを作成する。この度数分布テーブルに基づいて、制御装置１５ａに設定された許容不良品率Ｒに応じた管理目標重量値Ｗｑｏを決定する。
【０１８３】
具体的には、度数分布テーブルの測定重量値別の包装商品１ｂの所属個数を、測定した包装商品１ｂの全個数で除算し、測定重量値別の分布比率の値に置き換える。
【０１８４】
今、許容不良品率Ｒ（％）が設定されると、最小の測定重量値Ｗ＜１＞に対応する分布比率ｒ＜１＞（％）から順に、重量の最小表示目盛のステップで測定重量値を増加させるに応じて分布比率を加算し、分布比率の加算値が、初めて許容不良品率Ｒに等しいか大きくなる測定重量値Ｗ＜ｉ＞を検出する。
【０１８５】
この測定重量値Ｗ＜ｉ＞と、全測定重量値の平均重量値Ｗｘａを求め、許容不良品率Ｒに応じた下方最大ばらつき幅を下記のように規定する。 
【０１８６】
下方最大ばらつき幅＝Ｗｘａ−Ｗ＜ｉ＞
更に、許容不良品率Ｒに応じた管理目標重量値Ｗｑｏを、
Ｗｑｏ＝Ｑｔ＋Ｗｘａ−Ｗ＜ｉ＞
と、決定する。
【０１８７】
このようにして、重量選別機５の制御装置１５に、許容不良品率Ｒ（％）を設定することによって、予め作成した度数分布テーブルに基づいて、許容不良品率Ｒに応じた管理目標重量値Ｗｑｏが決定される。
【０１８８】
この管理目標重量値Ｗｑｏが決定された後は、上記実施形態と同様に、Ｗｘａ−Ｗｑｏ＝ｗｄｘによって差ｗｄｘを求め、差ｗｄｘの絶対値と符号を組合せ秤２０へ送信し、組合せ秤２０では目標組合せ重量値Ｗｔをｗｄｘの絶対値と符号に基づいて
Ｗｔ−ｗｄｘ→ Ｗｔ                    
と修正する。
【０１８９】
すなわち、包装商品１ｂの内容量の平均値Ｗｘａと、管理目標重量値Ｗｑｏとの差を求め、包装商品１ｂの平均重量値Ｗｘａが管理目標重量値Ｗｑｏより大きい場合は、組合せ目標重量値Ｗｔを小さくし、包装商品１ｂの平均重量値Ｗｘａが管理目標重量値Ｗｑｏより小さい場合は、目標組合せ重量値Ｗｔを大きくすることによって、重量選別機で測定された包装商品１ｂの内容量重量Ｗｘが、常に管理目標重量値Ｗｑｏの近傍の値になるように制御される。なお、目標組合せ重量値Ｗｔと上限重量値Ｗｕとで規定される重量幅は一定とし、目標組合せ重量値Ｗｔの変更に応じて一定の重量幅で所定重量範囲を移動させる。
【０１９０】
次に、上記実施形態と同様に原料の使用効率を最大する管理目標重量値Ｗｑｏの決定について説明する。
【０１９１】
上記のように組合せ秤２０で最適組合せ選択されて製造された包装商品１ｂの重量選別機５による測定重量値は、正規分布しない。
【０１９２】
稼働運転開始前に、例えば、基準重量値Ｑｔを目標組合せ重量値Ｗｔに設定して組合せ選択商品を製造し、上記のように測定重量値と個数とを対応させた度数分布テーブルを作成する。また、全測定重量値の平均値Ｗｘａを求める。
【０１９３】
上記の通り、最小の測定重量値は、Ｗ＜１＞であるので、下方最大ばらつき幅の最大値は、Ｗｘａ−Ｗ＜１＞である。管理目標重量値Ｗｑｏを、Ｗｑｏ＝Ｑｔ＋Ｗｘａ−Ｗ＜１＞から重量の最小表示目盛ずつ減少させ、Ｗｑｏ＝Ｑｔまで、
Ｗｑｏ＝Ｑｔ＋Ｗｘａ−Ｗ＜１＞  、Ｑｔ＋Ｗｘａ−Ｗ＜２＞、・・・・・
・・・・・、Ｑｔ＋Ｗｘａ−Ｗ＜ｖ＞、・・・・・、Ｑｔ
と変更させた場合、測定重量値Ｗｘの平均値Ｗｘａが、管理目標重量値Ｗｑｏに一致するように制御されるので、管理目標重量値Ｗｑｏの変更に応じて、測定重量値Ｗｘの分布は、図１４に示すように変化する。なお、図１４では、Ｗｑｏ＝Ｑｔ＋Ｗｘａ−Ｗ＜１＞、Ｗｑｏ＝Ｑｔ＋Ｗｘａ−Ｗ＜ｖ＞、及び、Ｗｑｏ＝Ｑｔの場合の測定重量値Ｗｘの分布を代表的に示している。
【０１９４】
このように管理目標重量値Ｗｑｏを重量の最小表示目盛ずつ減少させたそれぞれについて、測定重量値Ｗｘが基準重量値Ｑｔ以上の良品の個数と基準重量値Ｑｔ未満の不良品の個数を度数分布テーブルよりそれぞれ求めて所定の個数における不良品と良品の個数を算出し、上記の定義に基づいて合計原料損失量を算出し、合計原料損失量が最小の場合の管理目標重量値Ｗｑｏを決定する。
【０１９５】
図１５は、管理目標重量値Ｗｑｏを、Ｗｑｏ＝Ｑｔ＋Ｗｘａ−Ｗ＜１＞から重量の最小表示目盛である１ｇずつＷｑｏ＝Ｑｔまで減少させた場合の各度数分布テーブルの事例を示すものである。この例では、公称重量Ｑｎ＝２７６ｇ、基準重量値Ｑｔ＝２８０ｇである。測定重量値Ｗｘの平均値Ｗｘａが、管理目標重量値Ｗｑｏに一致するように制御されるので、管理目標重量値Ｗｑｏを最小表示目盛である１ｇずつ減少させると、それに応じて度数分布テーブルも１ｇずつずれることになる。
【０１９６】
この図１５に示すように、管理目標重量値Ｗｑｏを、重量の最小表示目盛である１ｇずつ減少させるのに応じて、度数分布テーブルを、その平均値Ｗｘａ（＝３００ｇ）を基準に最小表示目盛ずつずらし、ずらす度にずらした度数分布テーブルに基づいて、基準重量値Ｑｔを境界重量値として、不良品個数と良品個数とを算出し、上記の定義に基づいて合計原料損失量を算出し、合計原料損失量が最小の場合の管理目標重量値Ｗｑｏを決定する。
【符号の説明】
【０１９７】
１            容器
１ａ          充填済容器
１ｂ          包装商品
３            物品
４            定量重量充填機
４ａ          定量体積充填機
５，５ａ      重量選別機
８，１３      ロードセル
１２          定量重量充填機の制御装置
１２ａ        定量体積充填機の制御装置
１４          計量コンベヤ
１５，１５ａ  重量選別機の制御装置
２０          組合せ秤
２１          包装機
【図１】
2014222193.tif 000003
【図２】
2014222193.tif 000004
【図３】
2014222193.tif 000005
【図４】
2014222193.tif 000006
【図５】
2014222193.tif 000007
【図６】
2014222193.tif 000008
【図７】
2014222193.tif 000009
【図８】
2014222193.tif 000010
【図９】
2014222193.tif 000011
【図１０】
2014222193.tif 000012
【図１１】
2014222193.tif 000013
【図１２】
2014222193.tif 000014
【図１３】
2014222193.tif 000015
【図１４】
2014222193.tif 000016
【図１５】
2014222193.tif 000017